(57)【特許請求の範囲】
【請求項１】
配電線の分岐箇所における該配電線の本線に巻き付けて取り付ける第１巻付部材と、前記配電線の分岐箇所における該配電線の分岐線に巻き付けて取り付ける第２巻付部材と、を一体に連結されており、
前記第１、第２巻付部材のうち少なくとも第１巻付部材は、前記配電線を収容するスリット口が開口するとともに、
当該第１、第２巻付部材は、それぞれの巻付対象の前記本線と前記分岐線の延長方向の相対的な位置関係と姿勢を維持するように連結形状が固定されている引下線クリップ部材であって、
前記第１、第２巻付部材のうちの少なくとも第１巻付部材は、前記配電線の延長方向から見たときに該配電線の外周面に半周分よりも長くかつ該外周面の一周以下の長さ分だけ接する螺旋形状の線状材料で形成されているとともに、該螺旋形状の両端側が間に当該配電線を差し込み可能な間隔で離隔して前記スリット口を構成しており、
当該第１巻付部材は、前記第２巻付部材と一体に連結されている連結箇所から離隔する前記螺旋形状の端部側を、前記第２巻付部材を取り付ける前記分岐線の負荷により回転して前記本線の外周面に突き当たる側に位置させていることを特徴とする引下線クリップ部材。
【請求項２】
前記第１、第２巻付部材は、一本の線状部材を屈曲させて形成されていることを特徴とする請求項１に記載の引下線クリップ部材。
【請求項３】
前記第１、第２巻付部材の一体に連結されている連結箇所は、一本の線状部材を折り返して形成されていることを特徴とする請求項２に記載の引下線クリップ部材。
【発明の詳細な説明】
【技術分野】
【０００１】
本発明は、引下線クリップ部材に関し、詳しくは、配電線を分岐させる際に分岐位置に負荷が掛からないように分岐線を支持する部材に関する。
【背景技術】
【０００２】
配電線の本線から分岐線を分岐させる、例えば、送電線を分岐して各家庭などの負荷側に配電する場合には、その送電線に高圧引下線を導通接続する分岐箇所に自重や風圧などによる負荷が直接加わらないように、その分岐箇所の近傍の送電線に高圧引下線を一巻きするように作業標準が決められている。以下、配電線の本線と分岐線は、一例の送電線と高圧引下線で説明する。
【０００３】
しかしながら、その高圧引下線も一定容量の電力を供給できるように太く剛性を有することから、送電線に巻き付ける作業は、２人以上の共同作業で行う必要があって作業性が悪い、という問題がある。
このことから、高圧引下線を送電線に巻き付けることなく支持させる部材を採用するにしても、例えば、特許文献１〜３に記載のようなクリップ状の部材で止めるには、把持する強度が足りなかったり、また、経年劣化により外れてしまう可能性がある。
【０００４】
また、特許文献４に記載のように、送電線と高圧引下線の双方にバインド線を巻き付けることで支持することも可能であるが、そのバインド線を巻き付ける作業が煩雑で作業性が悪い、という課題がある。
また、特許文献５に記載のように、分岐箇所の電線を支持する部材が提案されているが、１本の形態になっている本体側は貫通状態に挿通させる必要があり、既設の送電線を切断することなく取り付けることができない。
【先行技術文献】
【特許文献】
【０００５】
【特許文献１】実用新案登録第３００５２０７号公報
【特許文献２】特開２０１０−１４８２５５号公報
【特許文献３】特開２０１０−２４６３０８号公報
【特許文献４】特開２００８−９２６８７号公報
【特許文献５】特開平１０−１１２３３８号公報
【発明の概要】
【発明が解決しようとする課題】
【０００６】
そこで、本発明は、配電線の本線と分岐線の双方に容易に取り付けて、分岐線を本線との分岐位置に負荷が掛からないように支持させることのできる簡易な構造で安価な引下線クリップ部材を提供することを目的としている。
【課題を解決するための手段】
【０００７】
上記課題を解決する引下線クリップ部材の発明の一態様は、配電線の分岐箇所における該配電線の本線に巻き付けて取り付ける第１巻付部材と、前記配電線の分岐箇所における該配電線の分岐線に巻き付けて取り付ける第２巻付部材と、を一体に連結されており、前記第１、第２巻付部材のうち少なくとも第１巻付部材は、前記配電線を収容するスリット口が開口するとともに、当該第１、第２巻付部材は、それぞれの巻付対象の前記本線と前記分岐線の延長方向の相対的な位置関係と姿勢を維持するように連結形状が固定されていることを特徴とするものである。
【発明の効果】
【０００８】
このように本発明の一態様によれば、配電線本線には第１巻付部材のスリット口から内部に収容させて巻き付けた状態にして取り付けることができるとともに、配線線分岐線は第２巻付部材の全周を巻き付けて、あるいは同様にスリット口から内部に収容させて巻き付けた状態にすることができる。
したがって、第１、第２巻付部材を配電線のそれぞれに取り付けた状態にして、それぞれの配電線（本線、分岐線）の延長方向に対する位置や姿勢を固定されている連結形状で維持することができる。
この結果、本線に分岐線を一巻きなどすることなく、分岐線が自重などにより動こうとするに伴って本線との間に挟まるようにして双方に突き当たる状態になり、相対的に位置決めしつつ双方の延長姿勢を維持することができる。
【図面の簡単な説明】
【０００９】
【図１】本発明に係る引下線クリップ部材の第１実施形態の全体構成を示す図であり、その送電線への取付状態を示す正面図である。
【図２】その引下線クリップ部材の構成を示す平面図である。
【図３】本発明に係る引下線クリップ部材の第２実施形態の全体構成を示す図であり、その送電線への取付状態を示す正面図である。
【図４】その引下線クリップ部材の構成を示す平面図である。
【発明を実施するための形態】
【００１０】
本発明の実施形態の一態様としては、配電線の分岐箇所における該配電線の本線に巻き付けて取り付ける第１巻付部材と、前記配電線の分岐箇所における該配電線の分岐線に巻き付けて取り付ける第２巻付部材と、を一体に連結されており、前記第１、第２巻付部材のうち少なくとも第１巻付部材は、前記配電線を収容するスリット口が開口するとともに、当該第１、第２巻付部材は、それぞれの巻付対象の前記本線と前記分岐線の延長方向の相対的な位置関係と姿勢を維持するように連結形状が固定されている構成を備えるのに加えて、次の構成を備えてもよい。
【００１１】
第１の他の態様としては、前記第１、第２巻付部材のうちの少なくとも第１巻付部材は、前記配電線の延長方向から見たときに該配電線の外周面に半周分よりも長くかつ該外周面の一周以下の長さ分だけ接する螺旋形状の線状材料で形成されているとともに、該螺旋形状の両端側が間に当該配電線を差し込み可能な間隔で離隔して前記スリット口が構成されていてもよい。
この態様では、半周分を超えて一周以下の長さの螺旋形状の線状材料の両端側間をスリット口とするので、その螺旋形状の周回中心の延長方向を配電線に対して傾斜させる状態にすることで、スリット口を配電線の外径以上に開口する状態にすることができる。また、配電線をスリット口内に収納した後に螺旋形状の周回中心を配電線の延長方向に一致させることでスリット口から離脱してしまうことを螺旋形状の両端側で制限することができる。したがって、線状材料を一定の巻き量になる螺旋形状に形成するだけで安価に作製することができる。
【００１２】
第２の他の態様としては、前記第１巻付部材は、前記第２巻付部材と一体に連結されている連結箇所から離隔する前記螺旋形状の端部側を、前記第２巻付部材を取り付ける前記分岐線の負荷により回転して前記本線の外周面に突き当たる側に位置させていてもよい。
この態様では、螺旋形状の線状材料の本線の長さ方向に延長されている端部が、自重などにより動こうとする分岐線の負荷により本線の外周面に突き当たる方向に回転しようとして支持状態を継続維持することができる。
【００１３】
第３の他の態様としては、前記第１、第２巻付部材は、一本の線状部材を屈曲させて形成されていてもよい。
この態様では、線状部材を屈曲させて螺旋形状にすることで第１、第２巻付部材を作製することができ、安価に作製することができる。
【００１４】
第４の他の態様としては、前記第１、第２巻付部材の一体に連結されている連結箇所は、一本の線状部材を折り返して形成されていてもよい。
この態様では、線状部材を屈曲させて螺旋形状にするとともに折り返すことで第１、第２巻付部材を異方向に延長する一体形状にして作製することができ、安価に作製することができる。
ここで、前記第１、第２巻付部材の線状部材の折り返し連結箇所は、隣接する線間をロウ付けして固定してもよい。また、前記第１、第２巻付部材は、分岐線の自重などによる負荷が折り返し連結箇所に直接掛からないように線状部材を加工するのが好ましい。
【００１５】
以下、図面を参照して、本発明の実施形態について詳細に説明する。図１および図２は本発明に係る引下線クリップ部材の第１実施形態を示す図である。
図１および図２において、引下線クリップ部材１０は、配電線の本線である送電線Ｄに巻き付けた状態にして取り付ける第１巻付部材１１と、送電線Ｄに分岐コネクタＣＮにより分岐接続する高圧引下線（分岐線）ｄに巻き付けた状態にして取り付ける第２巻付部材１２と、を一体に備えて構成されている。なお、分岐コネクタＣＮは、絶縁被覆を剥いだ送電線Ｄと高圧引下線ｄの導線を導通ブロックＢで挟み込むようにナットＮでネジ止めして導通接続させる。
この送電線Ｄと高圧引下線ｄとの分岐箇所には、分岐コネクタＣＮによる接続箇所の全体を覆うように絶縁カバーＣＶが取り付けられており、引下線クリップ部材１０は、その絶縁カバーＣＶの取り付け位置から離隔する箇所に取り付けられて、電柱間に架線されている送電線Ｄに対して下方に降下される姿勢になる高圧引下線ｄを位置決め保持するように使用される。
【００１６】
第１、第２巻付部材１１、１２は、一本の硬質の線状材料、例えば、金属線を螺旋形状にそれぞれ予め形成して中間部を折り返して隣接するように屈曲させることにより一体形状の部材として安価かつ軽量に作製されている。この第１、第２巻付部材１１、１２は、送電線Ｄと高圧引下線ｄのそれぞれの外周面に接する状態に巻付可能な周回径に形成されている。また、第１、第２巻付部材１１、１２は、中間部側端部１１ａ、１２ａの隣接する箇所Ｓをロウ付けして線間が離隔しない状態に固定されており、互いの延長方向の相対的な位置関係と姿勢を維持する連結形状に作製されている。
また、第１巻付部材１１は、電柱間に架線されている送電線Ｄ周りに周回して横向きの状態に取り付けられるのに対して、第２巻付部材１２は、その送電線Ｄから下方に降下する高圧引下線ｄ周りに周回して縦向きの状態に取り付けられる。
第１巻付部材１１の中間部側端部１１ａは、送電線Ｄ周りに周回する螺旋形状に形成されているのに対して、第２巻付部材１２の中間部側端部１２ａは、第１巻付部材１１の中間部側端部１１ａと一体の状態で送電線Ｄ周りの位置から高圧引下線ｄ周りを周回する形状に形成されている。
【００１７】
この第１巻付部材１１は、螺旋形状の周回中心に一致する送電線Ｄの軸心方向（延長方向）ＡＸＤから見たときに一周程度の長さで、中間部側端部１１ａと外側端部１１ｂが送電線Ｄの直径程度に離隔する間隔ＷＤに作製されている。すなわち、この第１巻付部材１１の中間部側端部１１ａと外側端部１１ｂの間の離隔箇所が送電線Ｄを差し込んで収容可能に開口するスリット口を構成している。
【００１８】
これにより、第１巻付部材１１は、中間部側端部１１ａと外側端部１１ｂの間に送電線Ｄを差し込んだ後に、螺旋形状の周回延長方向を送電線Ｄに対して傾斜する状態からその送電線Ｄの延長方向に一致させるように回転させることで、送電線Ｄ周りに周回する状態に巻き付けることができ、その送電線Ｄを離脱させる横方向にずらす負荷があった場合でも中間部側端部１１ａと外側端部１１ｂの間を抜けてしまうことなく取り付け状態を維持することができる。
ここで、この第１巻付部材１１は、中間部側端部１１ａと外側端部１１ｂの間から送電線Ｄが抜けないように衝止する形状に形成すればよいことから、中間部側端部１１ａと外側端部１１ｂが送電線Ｄの軸心方向から見たときに半周を超えて、その送電線Ｄの外面が引っ掛かる程度に周回する形状に作製すればよい。
【００１９】
その一方、第２巻付部材１２は、中間部側端部１２ａが第１巻付部材１１の外側端部１１ｂに対して送電線Ｄの反対側に位置する中間部側端部１１ａと一体に形成されており、外側端部１２ｂが第１巻付部材１１の中間部側端部１１ａと外側端部１１ｂが存在する平面（図面の紙面）内でその外側端部１１ｂから離隔する方向ＡＸｄに高圧引下線ｄを案内するように外面に巻き付く螺旋（周回）形状に形成されている。
【００２０】
これにより、第２巻付部材１２は、第１巻付部材１１の中間部側端部１１ａと外側端部１１ｂが存在する平面内で中間部側端部１２ａから高圧引下線ｄを下方へ案内するように周回する螺旋形状に形成されており、外側端部１２ｂは中間部側端部１２ａから下方に離隔する方向に位置している。
このため、第２巻付部材１２は、高圧引下線ｄが自重などにより降下する方向に回転しようとする負荷により、第１巻付部材１１の外側端部１１ｂを送電線Ｄの上側に突き当てて衝止させる方向に回転させようとするので、その第１巻付部材１１の外側端部１１ｂを送電線Ｄの上側に突き当てて高圧引下線ｄを支持することができ、その突き当て負荷で第１巻付部材１１が送電線Ｄの延長方向にずれることを制限することができる。
【００２１】
したがって、引下線クリップ部材１０は、高圧引下線ｄを第２巻付部材１２周りに周回させることにより、第２巻付部材１２の螺旋形状内に高圧引下線ｄを収容する巻付状態にすることができ、この後に、第１巻付部材１１を傾けて中間部側端部１１ａと外側端部１１ｂの間に送電線Ｄを差し込んで収容する状態にした後に延長方向が一致するように回転させて取り付けることができる。
この結果、引下線クリップ部材１０は、絶縁カバー（分岐箇所）ＣＶの近傍の送電線Ｄと高圧引下線ｄの間に１人でも容易に設置することができ、送電線Ｄに高圧引下線ｄを巻き付けることなく、高圧引下線ｄが牽引される負荷を分岐コネクタＣＮ側に与えないように支持させることができる。
【００２２】
次に、図３および図４は本発明に係る引下線クリップ部材の第２実施形態を示す図である。ここで、本実施形態は、上述実施形態と略同様に構成されているので、同様の構成には同一の符号を付して特徴部分を説明する。
図３および図４において、引下線クリップ部材２０は、上述実施形態と同様に、第１巻付部材１１と、第２巻付部材１２と、を備えて構成されている。
この第１、第２巻付部材１１、１２は、一本の硬質の線状材料、例えば、金属線の中間部を折り返して隣接するように屈曲させた後に、その中間部側端部１１ａ´、１２ａ´から戻る方向に周回する螺旋形状に形成し、この後に、第１巻付部材１１の外側端部１１ｂ´と、第２巻付部材１２本体から外側端部１２ｂまでと、に分岐させて形成されている。
【００２３】
このため、本実施形態では、第２巻付部材１２に対して、第１巻付部材１１の中間部側端部１１ａ´と外側端部１１ｂ´が逆向きに、言い換えると、外側端部１１ｂ´が第２巻付部材１２の軸心方向ＡＸｄに近接して中間部側端部１１ａ´が離隔する方向に周回する螺旋形状に形成されている。
よって、本実施形態の第１、第２巻付部材１１、１２では、中間部側端部１１ａ´、１２ａ´から外側端部１１ｂ´付近の分岐箇所までの隣接箇所Ｓ´がロウ付けされている。
【００２４】
これにより、第２巻付部材１２に加えられる高圧引下線ｄの自重などによる回転負荷が直接分岐箇所の第１巻付部材１１のみに掛かることをなくすことができ、その分岐箇所から並ぶようにロウ付けされている中間部側端部１１ａ´、１２ａ´までの双方で、その回転負荷を受けることができる。
したがって、本実施形態の引下線クリップ部材２０は、第１、第２巻付部材１１、１２の形状をより信頼性高く維持することができ、高圧引下線ｄが牽引される負荷を分岐コネクタＣＮ側に与えないように送電線Ｄに支持させることができる。
【００２５】
ここで、本実施形態では、第１巻付部材１１側にのみスリット口を備える場合を一例にして説明するが、これに限らず、第２巻付部材１２にも同様に備えるように作製してもよい。また、線状材料により第１、第２巻付部材１１、１２を作製する場合を一例にして説明するが、それぞれスリット口を備えるパイプ形状に形成して、一端側同士を互いの相対的な延長方向の位置関係や姿勢を維持することができるように溶接等して固定する構造に作製してもよい。
【００２６】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００２７】
１０、２０    引下線クリップ部材
１１   第１巻付部材
１２   第２巻付部材
１１ａ、１１ａ´、１２ａ、１２ａ´ 中間部側端部
１１ｂ、１１ｂ´、１２ｂ    外側端部
ＣＮ   分岐コネクタ
ＣＶ   絶縁カバー
Ｄ     送電線
ｄ     高圧引下線
【要約】
【課題】配電線の本線と分岐線の双方に容易に取り付けて、分岐線を本線との分岐位置に負荷が掛からないように支持させることのできる簡易な構造で安価な引下線クリップ部材を提供すること。
【解決手段】送電線Ｄの分岐箇所に近傍に巻き付けて取り付ける第１巻付部材１１と、送電線から分岐させる高圧引下線ｄに巻き付けて取り付ける第２巻付部材１２と、を一体に連結されており、第１、第２巻付部材は、それぞれ送電線と高圧引下線の延長方向の相対的な位置関係と姿勢を維持するように連結形状が固定されているとともに、第１巻付部材は、中間部側端部１１ａと外側端部１１ｂとの間が送電線を収容するスリット口として離隔して開口している。
【選択図】図１【図１】
0005475098.tif 000002
【図２】
0005475098.tif 000003
【図３】
0005475098.tif 000004
【図４】
0005475098.tif 000005